(57)【要約】【課題】輝度ムラが発生するのを抑制することが可能な照明装置を提供する。【解決手段】この照明装置１０は、光源部１と、光源部１から照射される近紫外光を導く導光部材２と、導光部材２の表面上に設けられ、導光部材２により導かれた近紫外光により面発光する蛍光体層を含む発光部３とを備え、各々の発光部３の蛍光体層は、赤色蛍光体層３ａ、緑色蛍光体層３ｂおよび青色蛍光体層３ｃを含む。そして近紫外光により発光した各蛍光体から照射される赤色光、緑色光および青色光により白色光を生成して照射するように構成されている。【選択図】図１
2010250992.tif 000002
【特許請求の範囲】
【請求項１】
光源と、
前記光源から照射される光を導く導光部材と、
前記導光部材の表面上に設けられ、前記導光部材により導かれた光により面発光する蛍光体層を含む発光部とを備え、
前記光源から照射される光は、近紫外光または青色光からなり、
前記光源から照射される光が近紫外光である場合は、前記蛍光体層は、赤色、緑色および青色にそれぞれ面発光する赤色蛍光体層、緑色蛍光体層および青色蛍光体層を含むとともに、前記赤色蛍光体層、前記緑色蛍光体層および前記青色蛍光体層から照射される赤色光、緑色光および青色光により白色光を生成して照射するように構成され、
前記光源から照射される光が青色光である場合は、前記蛍光体層は、赤色および緑色にそれぞれ面発光する赤色蛍光体層および緑色蛍光体層を含むとともに、前記赤色蛍光体層および前記緑色蛍光体層から照射される赤色光および緑色光と、前記光源からの青色光とにより白色光を生成して照射するように構成されている、照明装置。
【請求項２】
前記発光部は、前記導光部材の表面上に島状に複数配置され、
複数の前記発光部の各色の蛍光体層のうち少なくとも１色の蛍光体層の平面積が、他の色の蛍光体層の平面積と異なるように構成されている、請求項１に記載の照明装置。
【請求項３】
前記発光部は、前記導光部材の表面上に島状に複数配置され、
複数の前記発光部のうち、前記光源近傍に配置された前記発光部の各色の蛍光体層に比べて、前記光源からの距離が大きくなる位置に配置される前記発光部の各色の蛍光体層の方が平面積が大きくなるように構成されている、請求項１または２に記載の照明装置。
【請求項４】
前記発光部毎に設けられ、前記発光部の前記導光部材と対向する側とは反対側に設けられた遮光層をさらに含み、
各々の前記発光部に設けられた遮光層は、略同じ平面積を有する、請求項１〜３のいずれか１項に記載の照明装置。
【請求項５】
前記発光部は、前記導光部材の表面上に島状に複数配置され、
前記複数の発光部には、前記発光部毎に、それぞれ１つの色に対応する前記蛍光体層が配置されている、請求項１〜４のいずれか１項に記載の照明装置。
【請求項６】
前記発光部は、前記導光部材の表面上に島状に複数配置され、
前記複数の発光部には、前記発光部毎に、それぞれ複数の色に対応する前記蛍光体層が配置されている、請求項１〜４のいずれか１項に記載の照明装置。
【請求項７】
前記光源から照射される光が近紫外光である場合、前記導光部材および前記発光部を覆うように設けられ、前記導光部材の前記発光部が配置される側の表面から近紫外光が出射するのを抑制するためのフィルタ部材をさらに備える、請求項１〜６のいずれか１項に記載の照明装置。
【請求項８】
前記光源から照射される光が青色光の場合、前記導光部材は、前記蛍光体層が配置される側の表面に形成され、前記光源からの青色光を前記導光部材の前記蛍光体層が配置される側とは反対側に向かうように反射させるための溝部を含む、請求項１〜６のいずれか１項に記載の照明装置。
【請求項９】
光源と、前記光源から照射される光を導く導光部材と、前記導光部材の表面上に設けられ、前記導光部材により導かれた光により面発光する蛍光体層を有する発光部とを含む照明部と、
前記照明部から照射される光を反射して表示を行う表示部とを備え、
前記照明部の光源から照射される光は、近紫外光または青色光からなり、
前記照明部の光源から照射される光が近紫外光である場合は、前記蛍光体層は、赤色、緑色および青色にそれぞれ面発光する赤色蛍光体層、緑色蛍光体層および青色蛍光体層を含むとともに、前記赤色蛍光体層、前記緑色蛍光体層および前記青色蛍光体層から照射される赤色光、緑色光および青色光により白色光を生成して照射するように構成され、
前記照明部の光源から照射される光が青色光である場合は、前記蛍光体層は、赤色および緑色にそれぞれ面発光する赤色蛍光体層および緑色蛍光体層を含むとともに、前記赤色蛍光体層および前記緑色蛍光体層から照射される赤色光および緑色光と、前記光源からの青色光とにより白色光を生成して照射するように構成されている、表示装置。
【請求項１０】
前記表示部は、前記照明部から照射される光を反射する反射層と、液晶層とを含む反射型液晶表示装置から構成されている、請求項９に記載の表示装置。
【請求項１１】
前記表示部は、電気泳動表示装置から構成されている、請求項９に記載の表示装置。
【請求項１２】
請求項９〜１１のいずれか１項に記載の表示装置を備えた、電子機器。
【発明の詳細な説明】
【技術分野】
【０００１】
本発明は、照明装置、表示装置、および表示装置を備えた電子機器に関し、特に、光源から照射される光を導く導光部材を備えた照明装置、表示装置および電子機器に関する。
【背景技術】
【０００２】
従来、光源から照射される光を導く導光部材を備えた照明装置が開示されている（たとえば、特許文献１参照）。上記特許文献１の照明装置（フロントライト）には、光源として白色光を出射する発光ダイオードと、発光ダイオードからの白色光を照射面側に導く導光板とが備えられている。このフロントライトでは、導光板の一方の表面は平坦面状に形成されているとともに、導光板の他方の表面には発光ダイオードから出射された白色光を一方の表面側に反射させるための傾斜部が複数形成されている。そして、導光板内を伝播する発光ダイオードから出射された白色光を、導光板の他方の表面側の傾斜部によって反射させて一方の表面側（照射面側）に出射させるように構成されている。
【先行技術文献】
【特許文献】
【０００３】
【特許文献１】特開２０００−１９３９７２号公報
【発明の概要】
【発明が解決しようとする課題】
【０００４】
しかしながら、上記特許文献１に開示されたフロントライト（照明装置）では、発光ダイオードから出射された白色光が直接フロントライトからの光源として照射面から出射されるように構成されているため、発光ダイオードの指向性を有する光を光源とした場合では部分的に輝度ムラが発生する場合があるという問題点がある。
【０００５】
この発明は、上記のような課題を解決するためになされたものであり、この発明の１つの目的は、輝度ムラが発生するのを抑制することが可能な照明装置、表示装置および電子機器を提供することである。
【課題を解決するための手段および発明の効果】
【０００６】
この発明の第１の局面による照明装置は、光源と、光源から照射される光を導く導光部材と、導光部材の表面上に設けられ、導光部材により導かれた光により面発光する蛍光体層を含む発光部とを備え、光源から照射される光は、近紫外光または青色光からなり、光源から照射される光が近紫外光である場合は、蛍光体層は、赤色、緑色および青色にそれぞれ面発光する赤色蛍光体層、緑色蛍光体層および青色蛍光体層を含むとともに、赤色蛍光体層、緑色蛍光体層および青色蛍光体層から照射される赤色光、緑色光および青色光により白色光を生成して照射するように構成され、光源から照射される光が青色光である場合は、蛍光体層は、赤色および緑色にそれぞれ面発光する赤色蛍光体層および緑色蛍光体層を含むとともに、赤色蛍光体層および緑色蛍光体層から照射される赤色光および緑色光と、光源からの青色光とにより白色光を生成して照射するように構成されている。
【０００７】
上記第１の局面による照明装置では、上記のように、光源からの光により面発光する蛍光体層を含む発光部を備えることによって、発光ダイオードなどの指向性を有する光を照明装置からの光源として直接外部に照射する場合と異なり、蛍光体層を介して面発光した光を照射することができるので、照明装置からの光に輝度ムラが発生するのを抑制することができる。また、白色光を生成するための赤色光、緑色光および青色光の３色の光を、光源から照射される光を蛍光体層に照射させることにより生成するように構成することによって、温度消光などに起因して色の変換時に光強度が低下することなく白色光を生成することができる。すなわち、従来においては、発光ダイオードにより青色と青色から変換した橙色との２色により白色を生成する場合などがあり、この場合には、青色から橙色に変換する際に温度上昇により光強度が低下する温度消光などの影響により色の変換時に光強度が低下する。これに対して、本発明では、光源からの光を蛍光体層により変換する構成であるので、温度消光などに起因して色の変換時に光強度が低下することなく白色光を生成することができる。
【０００８】
また、第１の局面では、光源から近紫外光を照射するように構成した場合には、発光部の蛍光体層を赤色蛍光体層、緑色蛍光体層および青色蛍光体層により構成し、光源から青色光が照射されるように構成した場合には、発光部の蛍光体層を赤色蛍光体層および緑色蛍光体層により構成し、いずれの場合においても、赤色、緑色および青色に対応する蛍光体層から照射される３色の光、または、赤色および緑色に対応する蛍光体層から照射される２色の光と光源からの青色とからなる３色の光により白色光を生成するように構成する。ここで、たとえば、青色と橙色とにより白色光が生成される従来の照明装置をカラーフィルタを有する表示装置に適用した場合、従来の照明装置では青色と橙色とにより白色光を生成している分だけ赤色の波長が小さい（赤色の単一ピーク波長を有していない）ので、白色光が表示装置の赤色のカラーフィルタを透過した際に所望の赤色の波長を有する光が出射されず、色再現性が低下する場合がある。これに対して、本発明の照明装置をカラーフィルタを有する表示装置に適用した際には、照明装置の光源が近紫外光および青色光のいずれの光の場合であっても、それぞれ単一ピーク波長を有する赤色、緑色および青色の３色の光によって白色光が生成される。したがって、照明装置からの白色光が表示装置のカラーフィルタを透過した際に、白色光が赤色の単一ピーク波長を有しているので、所望の赤色を生成することができる。すなわち、色再現性が低下するのを抑制することができる。また、光源からの光が青色光の場合、光源からの光を蛍光体層により変換させることなく直接白色光を生成するための光として用いることができるので、その分、色の変換時に光強度が低下するのを抑制することができる。
【０００９】
上記第１の局面による照明装置において、好ましくは、発光部は、導光部材の表面上に島状に複数配置され、複数の発光部の各色の蛍光体層のうち少なくとも１色の蛍光体層の平面積が、他の色の蛍光体層の平面積と異なるように構成されている。このように構成すれば、各色の強度バランスを簡単に調整することができる。
【００１０】
上記第１の局面による照明装置において、好ましくは、発光部は、導光部材の表面上に島状に複数配置され、複数の発光部のうち、光源近傍に配置された発光部の各色の蛍光体層に比べて、光源からの距離が大きくなる位置に配置される発光部の各色の蛍光体層の方が平面積が大きくなるように構成されている。このように構成すれば、光源からの距離が大きい位置に配置された蛍光体層は、光源近傍に配置された蛍光体層に比べて光の届く量が小さくなる一方で、光源近傍に配置された蛍光体層に比べて平面積が大きい分、蛍光体層への光の入射範囲を大きくすることができる。すなわち、光源からの距離に応じて蛍光体層の平面積を変えることにより、光源からの距離が大きい蛍光体層と光源近傍に配置された蛍光体層とで略同じ輝度により発光させることができる。したがって、照明装置から照射される光の輝度ムラをより抑制することができる。
【００１１】
上記第１の局面による照明装置において、好ましくは、発光部毎に設けられ、発光部の導光部材と対向する側とは反対側に設けられた遮光層をさらに含み、各々の発光部に設けられた遮光層は、略同じ平面積を有する。このように構成すれば、たとえば、照明装置を反射型表示装置のフロントライトとして適用した場合、反射型表示装置により反射した光が照明装置内を透過する際に、光源からの距離に関わらず照明装置の全ての遮光層の平面積が略同じ大きさであるので、光源からの距離に応じて遮光層の平面積も大きくするように構成した場合と異なり、遮光層の平面積が大きくなることに起因して表示装置からの反射光がより多く遮光されるのを抑制することができる。
【００１２】
上記第１の局面による照明装置において、好ましくは、発光部は、導光部材の表面上に島状に複数配置され、複数の発光部には、発光部毎に、それぞれ１つの色に対応する蛍光体層が配置されている。このように構成すれば、光源からの光を発光部に入射させた際に、各々の発光部から赤色、緑色および青色のうちのいずれかの色を容易に発光させることができる。
【００１３】
上記第１の局面による照明装置において、好ましくは、発光部は、導光部材の表面上に島状に複数配置され、複数の発光部には、発光部毎に、それぞれ複数の色に対応する蛍光体層が配置されている。このように構成すれば、光源からの光を発光部に入射させた際に、各々の発光部から容易に複数の色を照射させることができる。
【００１４】
上記第１の局面による照明装置において、好ましくは、光源から照射される光が近紫外光である場合、導光部材および発光部を覆うように設けられ、導光部材の発光部が配置される側の表面から近紫外光が出射するのを抑制するためのフィルタ部材をさらに備える。このように構成すれば、フィルタ部材により近紫外光が外部に出射するのを抑制することができるので、外部の観察者に近紫外光が照射されるのを抑制することができる。
【００１５】
上記第１の局面による照明装置において、好ましくは、光源から照射される光が青色光の場合、導光部材は、蛍光体層が配置される側の表面に形成され、光源からの青色光を導光部材の蛍光体層が配置される側とは反対側に向かうように反射させるための溝部を含む。このように構成すれば、青色光の出射方向を蛍光体層から照射される赤色光および緑色光と同じ方向に容易に向けることができる。
【００１６】
この発明の第２の局面による表示装置は、光源と、光源から照射される光を導く導光部材と、導光部材の表面上に設けられ、導光部材により導かれた光により面発光する蛍光体層を有する発光部とを含む照明部と、照明部から照射される光を反射して表示を行う表示部とを備え、照明部の光源から照射される光は、近紫外光または青色光からなり、照明部の光源から照射される光が近紫外光である場合は、蛍光体層は、赤色、緑色および青色にそれぞれ面発光する赤色蛍光体層、緑色蛍光体層および青色蛍光体層を含むとともに、赤色蛍光体層、緑色蛍光体層および青色蛍光体層から照射される赤色光、緑色光および青色光により白色光を生成して照射するように構成され、照明部の光源から照射される光が青色光である場合は、蛍光体層は、赤色および緑色にそれぞれ面発光する赤色蛍光体層および緑色蛍光体層を含むとともに、赤色蛍光体層および緑色蛍光体層から照射される赤色光および緑色光と、光源からの青色光とにより白色光を生成して照射するように構成されている。
【００１７】
上記第２の局面による表示装置では、上記のように、光源からの光により面発光する蛍光体層を含む発光部を備えることによって、発光ダイオードなどの指向性を有する光を照明部からの光源として表示部に照射する場合と異なり、蛍光体層を介して面発光した光を照射することができるので、照明部からの光に輝度ムラが発生するのを抑制することができる。また、白色光を生成するための赤色光、緑色光および青色光の３色の光を光源からの光を蛍光体層に照射させて生成するように構成することによって、温度消光などに起因して色の変換時に光強度が低下することなく白色光を生成することができる。すなわち、従来においては、発光ダイオードにより発光された青色と発光ダイオード内部に設けられた蛍光体層により青色から変換した橙色との２色により白色を生成する場合などがあり、この際、青色から橙色に変換する際に温度上昇により光強度が低下する（温度消光）場合がある。これに対して、本発明における照明部では、光源からの光を蛍光体層により変換する構成であるので、温度消光などに起因して色の変換時に光強度が低下することなく白色光を生成することができる。
【００１８】
また、第２の局面では、照明部の光源から近紫外光を照射するように構成した場合には、発光部の蛍光体層を赤色蛍光体層、緑色蛍光体層および青色蛍光体層により構成し、照明部の光源から青色光が照射されるように構成した場合には、発光部の蛍光体層を赤色蛍光体層および緑色蛍光体層により構成し、いずれの場合においても、赤色、緑色および青色に対応する蛍光体層から照射される３色の光、または、赤色および緑色に対応する蛍光体層から照射される２色の光と光源からの青色とからなる３色の光により白色光を生成するように構成する。ここで、たとえば、青色と橙色とにより白色光が生成される従来の照明部をカラーフィルタを有する表示部に適用した場合、従来の照明部では青色と橙色とにより白色光を生成している分だけ赤色の波長が小さい（赤色の単一ピーク波長を有していない）ので、白色光が表示部の赤色のカラーフィルタを透過した際に所望の赤色の波長を有する光が出射されず、色再現性が低下する場合がある。これに対して、本発明の表示部にカラーフィルタを設けた際には、照明部の光源が近紫外光および青色光のいずれの光の場合であっても、それぞれ単一ピーク波長を有する赤色、緑色および青色の３色の光によって白色光が生成される。したがって、照明部からの白色光が表示部のカラーフィルタを透過した際に、白色光が赤色の単一ピーク波長を有しているので、所望の赤色を生成することができる。すなわち、色再現性が低下するのを抑制することができる。また、光源からの光が青色光の場合、光源からの光を蛍光体層により変換させることなく直接白色光を生成するための光として用いることができるので、その分、色の変換時に光強度が低下するのを抑制することができる。
【００１９】
上記第２の局面による表示装置において、表示部は、照明部から照射される光を反射する反射層と、液晶層とを含む反射型液晶表示装置から構成されている。このように構成すれば、照明部において赤色、緑色および青色の各々の単一ピーク長を有する３色の光により生成された白色光を光源とする反射型液晶表示装置を容易に構成することができる。
【００２０】
上記第２の局面による表示装置において、表示部は、電気泳動表示装置から構成されている。このように構成すれば、照明部において赤色、緑色および青色の各々の単一ピーク長を有する３色の光により生成された白色光を光源とする電気泳動表示装置を容易に構成することができる。
【００２１】
この発明の第３の局面による電子機器は、上記した構成を有する表示装置を備える。このように構成すれば、輝度ムラが発生するのを抑制することが可能な表示装置を含む電子機器を得ることができる。
【図面の簡単な説明】
【００２２】
【図１】本発明の第１実施形態による照明装置を備えた表示装置の断面図である。
【図２】本発明の第１実施形態による照明装置の拡大断面図である。
【図３】本発明の第１実施形態による照明装置の平面図である。
【図４】本発明の第１実施形態による照明装置の構成について説明するための断面図である。
【図５】本発明の第１実施形態による照明装置を備えた表示装置を説明するための断面図である。
【図６】本発明の第２実施形態による照明装置を備えた表示装置の断面図である。
【図７】本発明の第２実施形態による照明装置の拡大断面図である。
【図８】本発明の第２実施形態による照明装置の平面図である。
【図９】本発明の第２実施形態による照明装置を備えた表示装置を説明するための断面図である。
【図１０】本発明の第３実施形態による照明装置を備えた表示装置の断面図である。
【図１１】本発明の第１〜第３実施形態による照明装置を含む表示装置を備えた第１の例による電子機器について説明するための斜視図である。
【図１２】本発明の第１〜第３実施形態による照明装置を含む表示装置を備えた第２の例による電子機器について説明するための斜視図である。
【図１３】本発明の第１〜第３実施形態による照明装置を含む表示装置を備えた第３の例による電子機器について説明するための斜視図である。
【図１４】本発明の第１および第３実施形態の変形例による照明装置の拡大断面図である。
【発明を実施するための形態】
【００２３】
以下、本発明の実施形態を図面に基づいて説明する。
【００２４】
（第１実施形態）
図１〜図５を参照して、本発明の第１実施形態による表示装置１００の構成について説明する。
【００２５】
本発明の第１実施形態による表示装置１００は、図１に示すように、フロントライト型の照明部１０と、反射型液晶表示部２０とを備えている。なお、照明部１０は、本発明の「照明装置」の一例である。また、反射型液晶表示部２０は、本発明の「表示部」および「反射型液晶表示装置」の一例である。
【００２６】
照明部１０は、図１〜図３に示すように、光源部１と、光源部１から照射される光を導く導光部材２とを備えている。第１実施形態では、光源部１からは３６０ｎｍ以上３８０ｎｍ以下の波長を有する近紫外光が照射されるように構成されている。また、平面的に見て、導光部材２は平坦面状に形成されており、光源部１は導光部材２の一方の端部に沿って延びる（図３参照）とともに、導光部材２に隣接するように配置されている。なお、光源部１は、本発明の「光源」の一例である。
【００２７】
ここで、第１実施形態では、導光部材２の表面上（矢印Ｚ２側の表面上）には、複数の発光部３が所定の間隔を隔てて島状に配置されている。各々の発光部３は、赤色に対応する赤色蛍光体層３ａ、緑色に対応する緑色蛍光体層３ｂ、および、青色に対応する青色蛍光体層３ｃのうちのいずれか１つの蛍光体層と、蛍光体層を覆うように形成された遮光層３ｄとにより構成されている。赤色蛍光体層３ａ、緑色蛍光体層３ｂおよび青色蛍光体層３ｃは、光源部１から照射された近紫外光が入射した際に、それぞれ、赤色、緑色および青色に面発光するように構成されている。また、遮光層３ｄは、たとえば酸化クロムなどから構成され、各蛍光体層毎に形成されている。また、遮光層３ｄは、各蛍光体層から面発光される光のうち矢印Ｚ２方向に向かう光を矢印Ｚ１方向に反射させる反射層としての機能を有する。
【００２８】
これにより、図２に示すように、面発光する赤色蛍光体層３ａ、緑色蛍光体層３ｂおよび青色蛍光体層３ｃからそれぞれ矢印Ｚ１方向に向かって照射された赤色、緑色および青色の３色の光により白色光が生成されるように構成されている。そして、生成された白色光が、照明部１０の光源として反射型液晶表示部２０に向かって照射されるように構成されている。
【００２９】
また、第１実施形態では、図３および図４に示すように、平面的に見て、赤色蛍光体層３ａ、緑色蛍光体層３ｂ、青色蛍光体層３ｃおよび遮光層３ｄは、略正方形形状に形成されており、各々の発光部３に設けられた遮光層３ｄは、略同じ平面積Ｓ１（幅Ｗ１）を有する。その一方で、各々の発光部３のうち、光源部１近傍に配置された発光部３の赤色蛍光体層３ａ、緑色蛍光体層３ｂおよび青色蛍光体層３ｃの平面積Ｓ２（幅Ｗ２）よりも、光源部１からの距離が大きくなる位置に配置される発光部３の赤色蛍光体層３ａ、緑色蛍光体層３ｂおよび青色蛍光体層３ｃの平面積Ｓ３（幅Ｗ３）ほど大きくなるように構成されている。
【００３０】
また、導光部材２および発光部３の表面上には、導光部材２および発光部３を覆うようにフィルタ部材４が形成されている。フィルタ部材４は、導光部材２内を伝播する近紫外光が導光部材２から矢印Ｚ２方向側（観察者側）に向けて漏れるのを抑制する機能を有する。
【００３１】
また、導光部材２と反射型液晶表示部２０との間には、赤色蛍光体層３ａ、緑色蛍光体層３ｂおよび青色蛍光体層３ｃから照射される光が導光部材２の矢印Ｚ１方向側の表面と反射型液晶表示部２０側との界面で反射するのを抑制するための反射抑制膜５が形成されている。
【００３２】
次に、図５を参照して、反射型液晶表示部２０の構成について説明する。反射型液晶表示部２０は、一対のガラス基板２１ａおよび２１ｂを備え、ガラス基板２１ａの表面上には、複数のスイッチング用の薄膜トランジスタ（ＴＦＴ）２２が形成されている。薄膜トランジスタ２２の表面上には凹凸形状を有する層間絶縁膜２３が形成されているとともに、層間絶縁膜２３の表面上には、層間絶縁膜２３の凹凸形状を反映するように反射層２４が形成されている。そして、反射層２４の表面上には、各々の薄膜トランジスタ２２に対応するように画素電極２５が形成されている。そして、薄膜トランジスタ２２と画素電極２５とは、層間絶縁膜２３および反射層２４に形成されたコンタクトホール２６を介して接続されている。反射層２４は、アルミニウムなどの反射材料から構成されており、照明部１０から入射した光を観察者側（矢印Ｚ２方向側）に反射させる機能を有する。また、画素電極２５は、ＩＴＯなどの透明電極からなる。
【００３３】
また、ガラス基板２１ｂのガラス基板２１ａに対向する側（矢印Ｚ１方向側）の表面上には、各々の画素電極２５に対応する位置に、赤色に対応するカラーフィルタ２７ａ、緑色に対応するカラーフィルタ２７ｂおよび青色に対応するカラーフィルタ２７ｃが形成されている。カラーフィルタ２７ａ、２７ｂおよび２７ｃの表面上にはオーバーコート層２８が形成されているとともに、オーバーコート層２８の表面上には透明電極からなる対向電極２９が形成されている。また、ガラス基板２１ｂの矢印Ｚ２方向側の表面上には、位相差板３０および偏光板３１が形成されている。ガラス基板２１ａおよびガラス基板２１ｂ間には、液晶４０が充填されている。そして、反射型液晶表示部２０と照明部１０とは、反射型液晶表示部２０の偏光板３１と照明部１０の反射抑制膜５との間に設けられた接着層（図示せず）によって互いに接着されている。
【００３４】
以上の構成により、第１実施形態では、照明部１０の光源部１から照射された近紫外光により赤色蛍光体層３ａ、緑色蛍光体層３ｂおよび青色蛍光体層３ｃが面発光するとともに、これらの面発光した３色の光により面状に出射する白色光が生成される。そして、照明部１０からの白色光は、カラーフィルタ２７ａ、２７ｂおよび２７ｃを介して矢印Ｚ２側（観察者側）に照射されるように構成されている。なお、縦電界型の駆動方式により構成された反射型液晶表示部２０では、ＥＣＢモード、ＶＡモードおよびＴＮモードなどの駆動方式が適用可能である。
【００３５】
第１実施形態では、上記のように、光源部１からの光により面発光する赤色蛍光体層３ａ、緑色蛍光体層３ｂおよび青色蛍光体層３ｃを含む発光部３を備えることによって、発光ダイオードなどの指向性を有する光を照明部からの光源として直接外部に照射する場合と異なり、各蛍光体層を介して面発光した光を照射することができるので、照明部１０からの光に輝度ムラが発生するのを抑制することができる。また、光源部１から照射される近紫外光を蛍光体層（３ａ〜３ｃ）に照射させることにより白色光を生成するための赤色光、緑色光および青色光の３色の光を生成するように構成することによって、温度消光などに起因して色の変換時に光強度が低下することなく白色光を生成させることができる。すなわち、従来においては、発光ダイオードにより発光された青色と発光ダイオード内部に設けられた蛍光体層により青色から変換した橙色との２色により白色を生成する場合などがあり、この際には、青色から橙色に変換する際に温度上昇により光強度が低下する（温度消光）場合がある。これに対して、第１実施形態では、光源部１からの光を蛍光体層（３ａ〜３ｃ）により変換する構成であるので、温度消光などに起因して色の変換時に光強度が低下することなく白色光を生成させることができる。
【００３６】
また、上記第１実施形態では、光源部１から近紫外光を照射するように構成するとともに、発光部３の蛍光体層を赤色蛍光体層３ａ、緑色蛍光体層３ｂおよび青色蛍光体層３ｃにより構成し、赤色、緑色および青色に対応する蛍光体層から照射される３色の光により白色光を生成するように構成する。ここで、たとえば、青色と橙色とにより白色光が生成される従来の照明装置を、カラーフィルタを有する表示装置の光源に適用した場合、従来の照明装置では青色と橙色とにより白色光を生成している分だけ赤色の波長が小さい（赤色の単一ピーク波長を有していない）ので、白色光が表示装置の赤色のカラーフィルタを透過した際に所望の赤色の波長を有する光が出射されず、色再現性が低下する場合がある。これに対して、第１実施形態における照明部１０では、それぞれ単一ピーク波長を有する赤色、緑色および青色の３色の光によって白色光を生成する構成であるので、照明部１０からの白色光が反射型液晶表示部２０のカラーフィルタ２７ａを透過した際に、白色光が赤色の単一ピーク波長を有しているので、所望の赤色を生成することができる。すなわち、色再現性が低下するのを抑制することができる。
【００３７】
また、上記第１実施形態では、複数の発光部３のうち、光源部１近傍に配置された発光部３の各色の蛍光体層に比べて、光源部１からの距離が大きくなる位置に配置される発光部の各色の蛍光体層の方が平面積が大きくなるように構成することによって、光源部１からの距離が大きい位置に配置された蛍光体層は、光源部１近傍に配置された蛍光体層に比べて光の届く量が小さくなる一方で、光源部１近傍に配置された蛍光体層に比べて平面積が大きい分、蛍光体層への光の入射範囲を大きくすることができる。すなわち、光源部１からの距離に応じて蛍光体層の平面積を変えることにより、光源部１からの距離が大きい蛍光体層と光源部１近傍に配置された蛍光体層とで略同じ輝度により発光させることができる。したがって、照明部１０から照射される光の輝度ムラをより抑制することができる。
【００３８】
また、上記第１実施形態では、発光部３の導光部材２と対向する側とは反対側に遮光層３ｄを設けるとともに、各々の発光部３に設けた遮光層３ｄを、略同じ平面積になるように構成することによって、反射型表示部２０により反射した光が照明部１０内を透過する際に、光源部１からの距離に関わらず照明部１０の全ての遮光層３ｄの平面積が略同じ大きさであるので、光源部１からの距離に応じて遮光層３ｄの平面積も大きくするように構成した場合と異なり、遮光層３ｄの平面積が大きくなることに起因して反射型表示部２０からの反射光がより多く遮光されるのを抑制することができる。
【００３９】
また、上記第１実施形態では、発光部３を、導光部材２の表面上に島状に複数配置するとともに、各々の発光部３毎にそれぞれ１つの色に対応する蛍光体層を配置することによって、光源部１からの光を発光部３に入射させた際に、各々の発光部３から赤色、緑色および青色のうちのいずれかの色を容易に発光させることができる。
【００４０】
また、上記第１実施形態では、導光部材２および発光部３を覆うように、導光部材２の矢印Ｚ２側の表面から近紫外光が出射するのを抑制するためのフィルタ部材４を備えることによって、フィルタ部材４により近紫外光が外部に出射するのを抑制することができるので、外部の観察者に近紫外光が照射されるのを抑制することができる。
【００４１】
（第２実施形態）
次に、図６〜図９を参照して、第２実施形態について説明する。この第２実施形態では、近紫外光を出射する光源部１と、赤色、緑色および青色に対応する蛍光体層とにより白色光を生成するように構成された第１実施形態とは異なり、青色光を出射する光源部２０１と、赤色および緑色に対応する蛍光体層とにより白色光を生成する例について説明する。
【００４２】
本発明の第２実施形態による表示装置２００は、図６〜図８に示すように、フロントライト型の照明部２１０と、電気泳動表示部２２０とを備えている。なお、電気泳動表示部２２０は、本発明の「表示部」および「電気泳動表示装置」の一例である。
【００４３】
第２実施形態では、照明部２１０の光源部２０１から照射される光は、たとえば、青色発光ダイオードなどから出射される単一ピーク波長による青色光により構成されている。そして、導光部材２０２の表面上には、赤色蛍光体層２０３ａおよび遮光層２０３ｄを含む発光部２０３、緑色蛍光体層２０３ｂおよび遮光層２０３ｄを含む発光部２０３、および、溝部２０４が、この順で複数配置されるように島状に形成されている。この溝部２０４は、導光部材２０２内を伝播する青色光を矢印Ｚ１方向に反射させる（図７参照）機能を有する。
【００４４】
以上により、第２実施形態における照明部２１０は、光源部２０１から出射した青色光が赤色蛍光体層２０３ａおよび緑色蛍光体層２０３ｂに入射した後に、赤色蛍光体層２０３ａおよび緑色蛍光体層２０３ｂからは、それぞれ、赤色光および緑色光が矢印Ｚ１方向に向かって照射されるように構成されている。このとき、青色光は溝部２０４により矢印Ｚ１方向に向かって反射される。これにより、矢印Ｚ１方向に向かう赤色、緑色および青色の３色の光により白色光が生成されるとともに、白色光は電気泳動表示部２２０に向かって照射されるように構成されている。
【００４５】
また、第２実施形態では、図８に示すように、溝部２０４は、平面的に見て、略正方形形状に形成されており、各々の溝部２０４のうち、光源部２０１近傍に設けられた溝部２０４の平面積Ｓ４（幅Ｗ４）よりも、光源部２０１からの距離が大きくなる位置に設けられた溝部２０４の平面積Ｓ５（幅Ｗ５）ほど大きくなるように構成されている。
【００４６】
次に、図９を参照して、電気泳動表示部２２０の構成について説明する。電気泳動表示部２２０は、一対のガラス基板２２１ａおよび２２１ｂを備え、ガラス基板２２１ａの表面上には、複数のスイッチング用の薄膜トランジスタ（ＴＦＴ）２２２が形成されている。薄膜トランジスタ２２２の表面上には、層間絶縁膜２２３が形成されているとともに、層間絶縁膜２２３の表面上には、各々の薄膜トランジスタ２２２に対応するように電極２２４が形成されている。そして、各々の薄膜トランジスタ２２２および電極２２４は、層間絶縁膜２２３に形成されたコンタクトホール２２３ａを介して接続されている。
【００４７】
また、ガラス基板２２１ｂのガラス基板２２１ａに対向する側（矢印Ｚ１方向側）の表面には、赤色、緑色および青色に対応するカラーフィルタ２２７ａ、２２７ｂおよび２２７ｃが形成されているとともに、カラーフィルタ２２７ａ、２２７ｂおよび２２７ｃを覆うようにオーバーコート層２２８が形成されている。オーバーコート層２２８の表面上には、電極２２９が形成されている。
【００４８】
また、電極２２４および電極２２９間には、内部に電気泳動分散液２３０が封入されたマイクロカプセル２３１が複数配置されているとともに、各々のマイクロカプセル２３１は、バインダ２３２により固定的に保持されている。第２実施形態では、各々のマイクロカプセル２３１内の電気泳動分散液２３０は、着色粒子２３０ａと白色粒子２３０ｂとの２種類の電気泳動粒子が液相分散媒２３０ｃにより分散された状態で構成されている。これにより、電極２２４および電極２２９間に電界が発生した際に、電極２２４側に着色粒子２３０ａおよび白色粒子２３０ｂのうちの一方の粒子が移動するとともに、電極２２９側に他方の粒子が移動するように構成されている。
【００４９】
第２実施形態では、上記のように、赤色蛍光体層２０３ａおよび緑色蛍光体層２０３ｂにより照射された赤色光および緑色光と、光源部２０１により照射された青色光の３色の光により白色光を生成する場合においても、照明部２１０から輝度ムラのない均一な光を照射することができるとともに、温度消光などに起因して色の変換時に光強度が低下することなく白色光を生成することができる。
【００５０】
また、第２実施形態では、光源部２０１から青色光を照射するように構成した場合においても、照明部２１０において、それぞれ単一ピーク波長を有する赤色、緑色および青色の３色の光によって赤色の単一ピーク波長を有する白色光が生成されるので、所望の赤色を生成することができる。すなわち、色再現性が低下するのを抑制することができる。
【００５１】
また、第２実施形態では、光源部２０１からの青色光を蛍光体層により変換させることなく直接白色光を生成するための光として用いることができるので、その分、変換により光強度が低下するのを抑制することができる。
【００５２】
また、第２実施形態では、導光部材２０２に光源部２０１からの青色光を導光部材２０２の矢印Ｚ１方向側に向かうように反射させるための溝部２０４を形成することによって、青色光の出射方向を蛍光体層から照射される赤色光および緑色光と同じ方向に容易に向けることができる。
【００５３】
なお、第２実施形態のその他の効果は、上記第１実施形態と同様である。
【００５４】
（第３実施形態）
次に、図１０を参照して、第３実施形態について説明する。この第３実施形態では、各々の発光部３毎に、赤色蛍光体層３ａ、緑色蛍光体層３ｂおよび青色蛍光体層３ｃのうちいずれか１つの蛍光体層を設けた第１実施形態とは異なり、各々の発光部３０３毎に、赤色蛍光体層３０３ａ、緑色蛍光体層３０３ｂおよび青色蛍光体層３０３ｃを設ける例について説明する。
【００５５】
本発明の第３実施形態による表示装置３００における照明部３１０では、図１０に示すように、導光部材２の表面上には、第１実施形態と同様に、複数の発光部３０３が所定の間隔を隔てて島状に配置されている。各々の発光部３０３には、赤色蛍光体層３０３ａ、緑色蛍光体層３０３ｂおよび青色蛍光体層３０３ｃの３つの蛍光体層と、遮光層３０３ｄとが設けられている。また、光源部１からは近紫外光が照射されるように構成されている。そして、光源部１から近紫外光が照射された際には、各々の発光部３０３において、それぞれ３つの蛍光体層が赤色、緑色および青色に面発光するとともに、これら３色の光により白色光が生成されるように構成されている。そして、生成された白色光が反射型液晶表示部２０側（矢印Ｚ１側）に向かって照射されるように構成されている。
【００５６】
なお、第３実施形態のその他の構成は、上記第１実施形態と同様である。
【００５７】
第３実施形態では、上記のように、各々の発光部３０３毎に赤色蛍光体層３０３ａ、緑色蛍光体層３０３ｂおよび青色蛍光体層３０３ｃを設けた場合においても、光源部１から照射された近紫外光により各々の発光部３０３において赤色光、緑色光および青色光を面発光により出射することができるので、照明部３１０からムラのない均一な光を照射することができるとともに、温度消光などに起因して色の変換時に光強度が低下することなく白色光を生成することができる。また、光源部１からの近紫外光を発光部３０３に入射させた際に、各々の発光部３０３から赤色、緑色および青色の３色の光を容易に照射させることができる。
【００５８】
なお、第３実施形態のその他の効果は、上記第１および第２実施形態と同様である。
【００５９】
次に、図１１〜図１３を参照して、本発明の第１〜第３実施形態による表示装置１００、２００および３００を用いた第１〜第３の例による電子機器について説明する。
【００６０】
本発明の第１〜第３実施形態による表示装置１００、２００および３００は、図１１〜図１３に示すように、第１の例によるＰＣ（Ｐｅｒｓｏｎａｌ  Ｃｏｍｐｕｔｅｒ）４００、第２の例による携帯電話４１０および第３の例による情報携帯端末４２０（ＰＤＡ：Ｐｅｒｓｏｎａｌ  Ｄｉｇｉｔａｌ  Ａｓｓｉｓｔａｎｔｓ）などに用いることが可能である。図１１の第１の例によるＰＣ４００においては、キーボードなどの入力部４００ａおよび表示画面４００ｂなどに本発明の第１〜第３実施形態による表示装置１００、２００および３００を用いることが可能である。図１２の第２の例による携帯電話４１０においては、表示画面４１０ａに本発明の第１〜第３実施形態による表示装置１００、２００および３００が用いられる。図１３の第３の例による情報携帯端末４２０においては、表示画面４２０ａに本発明の第１〜第３実施形態による表示装置１００、２００および３００が用いられる。
【００６１】
なお、今回開示された実施形態は、すべての点で例示であって制限的なものではない。本発明の範囲は、上記した実施形態の説明ではなく特許請求の範囲によって示され、さらに特許請求の範囲と均等の意味および範囲内でのすべての変更が含まれる。
【００６２】
たとえば、上記第１および第３実施形態では、本発明における表示部として反射型液晶表示部を用いる例を示すとともに、第２実施形態では、本発明における表示部として電気泳動表示部を用いる例を示したが、本発明はこれに限らない。すなわち、第１および第３実施形態の構成に電気泳動表示部を適用してもよいし、第２実施形態の構成に反射型液晶表示部を適用してもよい。また、表示部として、反射型液晶表示部および電気泳動表示部以外の表示部を用いてもよい。
【００６３】
また、上記第１〜第３実施形態では、発光部および溝部を、平面的に見て島状になるように設ける例を示したが、本発明はこれに限らず、発光部および溝部を、たとえばライン状に形成する場合など、島状以外に形成してもよい。
【００６４】
また、上記第１および第３実施形態では、縦電界型の駆動方式による反射型液晶表示部を本発明の表示部に適用する例を示したが、本発明はこれに限らず、ＦＦＳモードおよびＩＰＳモードなどの横電界型の駆動方式による反射型液晶表示部を適用してもよい。
【００６５】
また、上記第１〜第３実施形態では、遮光層を金属により形成する例を示したが、本発明はこれに限らず、遮光層を樹脂により形成してもよい。
【００６６】
また、上記第１〜第３実施形態では、発光部および溝部を所定の間隔を隔てて島状に形成する例を示したが、本発明はこれに限らず、発光部および溝部は、等間隔に配置しなくてもよい。
【００６７】
また、上記第２実施形態では、蛍光体層の表面上にのみ遮光層を設ける例を示したが、本発明はこれに限らず、蛍光体層の表面上に加えて溝部の表面上にも遮光層を設けてもよい。
【００６８】
また、上記第３実施形態では、各々の発光部に赤色、緑色および青色の対応する３つの蛍光体層を設ける例を示したが、本発明はこれに限らず、各々の発光部に、たとえば、赤色および緑色に対応する２つの蛍光体層を設けてもよい。この場合には、光源部からは青色光が照射されるように構成するとともに、導光部材に青色光を反射させる溝部を設ける例（第２実施形態の例）を適用すればよい。
【００６９】
また、上記第３実施形態では、蛍光体層の平面積と同様に、溝部においても光源部からの距離が大きくなるほど平面積が大きくなる例を示したが、本発明はこれに限らず、溝部の平面積は光源部からの距離によらず同じであってもよい。
【００７０】
また、上記第１および第３実施形態では、複数の発光部の各色の蛍光体層の平面積を等しくする例を示したが、本発明はこれに限らず、図１４に示すように複数の発光部３の各色の蛍光体層のうち、少なくとも１色の蛍光体層（図１４の例では、青（Ｂ）の蛍光体層３１１ｃ）の平面積を他の色の蛍光体層の平面積と異ならせてもよい。これにより、各色の強度バランスを簡単に調整することができる。
【符号の説明】
【００７１】
１、２０１  光源部（光源）
２、２０２  導光部材
３、２０３、３０３  発光部
３ａ、２０３ａ、３０３ａ  赤色蛍光体層（蛍光体層）
３ｂ、２０３ｂ、３０３ｂ  緑色蛍光体層（蛍光体層）
３ｃ、２０３ｃ、３０３ｃ  青色蛍光体層（蛍光体層）
３ｄ、２０３ｄ、３０３ｄ  遮光層
４  フィルタ部材
１０、２１０、３１０  照明部（照明装置）
２０  反射型液晶表示部（表示部）（反射型液晶表示装置）
２０４  溝部
２２０  電気泳動表示部（表示部）（電気泳動表示装置）
４００、４１０、４２０  電子機器
【図１】
2010250992.tif 000003
【図２】
2010250992.tif 000004
【図３】
2010250992.tif 000005
【図４】
2010250992.tif 000006
【図５】
2010250992.tif 000007
【図６】
2010250992.tif 000008
【図７】
2010250992.tif 000009
【図８】
2010250992.tif 000010
【図９】
2010250992.tif 000011
【図１０】
2010250992.tif 000012
【図１１】
2010250992.tif 000013
【図１２】
2010250992.tif 000014
【図１３】
2010250992.tif 000015
【図１４】
2010250992.tif 000016